【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ねじが骨に挿入される外科手術において使用するための、長さ調節可能な骨ねじであって、該骨ねじは、
近位端と遠位端との間に延び、外面を有するねじ頭部、及び軸であって、前記ねじ頭部及び前記軸が、長手方向軸線に沿って延び、前記軸が、軸外面を有し、かつ前記ねじ頭部の前記遠位端と遠位先端との間に延び、前記ねじ頭部の前記外面が、前記長手方向軸線に対して垂直な第１の方向に沿って測定された最大直径を有し、前記最大直径が、前記第１の方向に沿って測定された前記軸外面の最大直径より大きい、ねじ頭部及び軸と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる切り欠きにより画定され、前記ねじ山を切られた部位の前記ねじ山が、前記軸の周りに円周方向に延びる少なくとも２つの不連続なねじ山セグメントへと形成され、
複数の、前記ねじ山を切られていない部位が、前記軸に沿って長手方向に、近位側から遠位側に向けて、テーパー形状になっており、前記複数のテーパー形状のねじ山を切られていない部位の近位側に隣接する、複数の、前記ねじ山を切られた部位が、前記隣接する、ねじ山を切られていない部位の前記テーパーと同じ角度のテーパー形状になっている、少なくとも１つのねじ山を有することを特徴とする、骨ねじ。
【請求項２】
前記テーパー形状のねじ山を切られた部位について、それぞれのねじ山セグメントが、少なくとも１つのテーパー形状のねじ山を有することを特徴とする、請求項１に記載の長さ調節可能な骨ねじ。
【請求項３】
前記切断溝が、前記ねじ軸の前記長手方向軸線に対して平行に延びることを特徴とする、請求項１に記載の長さ調節可能な骨ねじ。
【請求項４】
前記複数の、ねじ山を切られた部位それぞれの前記切断溝それぞれの前記切り欠きが、前記ねじ軸の表面から、前記ねじ軸の中央線を過ぎた点まで延びることを特徴とする、請求項１に記載の長さ調節可能な骨ねじ。
【請求項５】
前記複数の、ねじ山を切られた部位それぞれの前記切断溝それぞれの前記切り欠きが、前記ねじ軸の表面から、凹部の深さの方向において前記ねじ軸の中央線に平行な方向に測定して前記ねじの直径の少なくとも１５％の深さに延びていることを特徴とする、請求項１に記載の長さ調節可能な骨ねじ。
【請求項６】
ねじが骨に挿入される外科手術において使用するための、長さ調節可能な骨ねじのキットであって、該キットは、
複数の長さ調節可能な骨ねじを備え、それぞれの長さ調節可能な骨ねじが、
近位端と遠位端との間に延び、外面を有するねじ頭部、及び軸であって、前記ねじ頭部及び前記軸が、長手方向軸線に沿って延び、前記軸が、軸外面を有し、かつ前記ねじ頭部の前記遠位端と遠位先端との間に延び、前記ねじ頭部の前記外面が、前記長手方向軸線に対して垂直な第１の方向に沿って測定された最大直径を有し、前記最大直径が、前記第１の方向に沿って測定された前記軸外面の最大直径より大きい、ねじ頭部及び軸と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる凹部により画定され、
前記切断溝が、前記ねじ山を切られた部位のねじ山を、前記軸の周りに円周方向に延びる少なくとも２つのねじ山セグメントに分割し、前記ねじ山が前記軸の周りに連続的に円周方向には延びないようにし、
複数の、前記ねじ山を切られていない部位が、前記軸に沿って長手方向に、近位側から遠位側に向けて、テーパー形状になっており、前記複数のテーパー形状のねじ山を切られていない部位の近位側に隣接する、複数の、前記ねじ山を切られた部位が、前記隣接する、ねじ山を切られていない部位の前記テーパーと同じ角度のテーパー形状になっている、少なくとも１つのねじ山を有し、
前記長さ調節可能な骨ねじがそれぞれ、前記頭部の前記近位端と前記遠位先端との間の距離により定められる初期長さを有する、キット。
【請求項７】
同じ初期長さを有する長さ調節可能な骨ねじのみを含む、請求項６に記載のキット。
【請求項８】
第１初期長さを有する複数の長さ調節可能な骨ねじと、前記第１初期長さよりも長い第２初期長さを有する複数の長さ調節可能な骨ねじとを含む、請求項６に記載のキット。
【請求項９】
長さ調節可能な骨ねじを、あるサイズに形成する方法であって、該方法は、
（ａ）前記長さ調節可能な骨ねじの所望の長さを決定する工程であって、初期長さが前記所望の長さより長い、工程と、
（ｂ）長さ調節可能な骨ねじの初期長さを切断して、前記所望の長さを有する、切断後の長さの骨ねじを形成する工程と、を含み、前記長さ調節可能な骨ねじが、
近位端を有するねじ頭部と遠位先端との間に延び、長手方向軸線を有する軸と、
前記軸に沿って長手方向の分散した位置にある複数の、ねじ山を切られた部位と、
前記軸に沿って長手方向の分散した位置にある複数の、ねじ山を切られていない部位とを有し、前記ねじ山を切られた部位が、前記ねじ山を切られていない部位により長手方向に分離され、前記ねじ山を切られた部位が、前記軸の周りに少なくとも部分的に円周方向に延びる一連のねじ山を有し、
前記複数の、ねじ山を切られた部位がそれぞれ、少なくとも２つの切断溝を有し、それぞれの切断溝が、前記ねじ軸内に径方向に形成され、前記ねじ山を切られた部位の長さに沿って長手方向に延びる凹部により画定され、
前記切断溝が、前記ねじ山を切られた部位のねじ山を、前記軸の周りに円周方向に延びる少なくとも２つのねじ山セグメントに分割し、前記ねじ山が前記軸の周りに連続的に円周方向には延びないようにする、方法。
【請求項１０】
長さ調節可能な骨ねじを製造するための方法であって、該方法は、
（ａ）最大頭部直径を有する近位側頭部、最大軸直径を有する軸、及び遠位先端を有する骨ねじを製作する工程であって、前記最大頭部直径が、前記最大軸直径より大きい、工程と、
（ｂ）前記軸に沿って近位端及び遠位端を有する複数の、ねじ山を切られた部位を形成する工程と、
（ｃ）前記複数の、ねじ山を切られた部位それぞれの長さに沿ってそれぞれの遠位端に前記軸の内部に切り込まれた第１及び第２の切り欠きを形成して、２つの切断溝を形成する工程であって、前記複数の、ねじ山を切られた部位それぞれが、それぞれの長さに沿って２つの不連続な円周方向のねじ山セグメントを有する、工程と、
（ｄ）長手方向に前記軸に沿って延びる、複数のねじ山を切られていない部位を形成する工程であって、複数の、前記ねじ山を切られた部位が、前記近位端及び遠位端において、ねじ山を切られていない部位により境界をつけられる、工程と、
（ｅ）前記複数のねじ山を切られていない部位のうちの複数において、前記軸に沿って長手方向に、近位側から遠位側に向けて、第１の角度でテーパー形状の領域を形成し、前記複数の、ねじ山を切られた部位のうちの複数において、第２の角度でテーパーを形成する工程であって、前記第１の角度が前記第２の角度と同じである、工程と、を含む、方法。